(57)【要約】【課題】各種電子機器の入力操作部に用いられ、配線基板に平行な方向に押圧操作されるプッシュオンスイッチに関し、保護シートをケースに安定的に保持させることができる構成のプッシュオンスイッチを提供する。【解決手段】可動接点６などからなるスイッチ接点部を凹部１Ａ内に備えたケース１の上面に、上記凹部１Ａ上を覆うように絶縁フィルム製の保護シート１７が貼着され、保護シート１７の上方から金属カバー１９がケース１に係合されたプッシュオンスイッチであって、ケース１に貼着されている保護シート１７は、ケース１側面から外方に突出した突出部１７Ａを有し、その突出部１７Ａがケース１の上面外縁部と金属カバー１９の曲げ部１９Ｄの先端部で挟み込まれた構成のものとした。【選択図】図３
2014154302.tif 000002
【特許請求の範囲】
【請求項１】
凹部内にスイッチ接点部を備えたケースと、上記ケースの上記凹部上を覆うように上記ケースに取り付けられた絶縁フィルム製の保護シートとを有し、上記保護シートに上記ケース側面から外方に突出する挟持用の突出部を設けたことを特徴とするプッシュオンスイッチ。
【発明の詳細な説明】
【技術分野】
【０００１】
本発明は、各種電子機器の入力操作部に用いられるプッシュオンスイッチに関するものである。
【背景技術】
【０００２】
近年、各種電子機器は、電子機器の小型軽量化並びに薄型化と合わせて、多機能化が留まることなく進んでおり、その入力操作部には、装着された電子機器の配線基板に平行な方向から操作される小型薄型のプッシュオンスイッチが用いられることも増えている。
【０００３】
このような従来のプッシュオンスイッチについて、図８〜図１１を用いて説明する。
【０００４】
図８は従来のプッシュオンスイッチの外観図、図９は同分解斜視図、図１０は同断面図、図１１は同操作状態の断面図である。
【０００５】
同図において、１は上方開口の凹部１Ａを有した絶縁樹脂製のケースであり、凹部１Ａ底面の中央には中央固定接点２が配され、また凹部１Ａ底面の外周側の位置には上面視略矩形で僅かに上方に突出形成された一対の外側固定接点３が配されている。中央固定接点２に接続されている端子２Ａおよび、外側固定接点３に接続されている端子３Ａは、ケース１の左右の側面の中間高さ位置よりそれぞれ外方に導出されている。つまり、それらの導出位置は、ケース１の底面位置よりも高い位置に設定されている。
【０００６】
ケース１の端子２Ａ，３Ａが導出されている左右の側部においては、端子２Ａ，３Ａの下面位置よりも上方に位置するケース１側面が、下方に位置する側面よりも外方に突出した形状になっている。つまり、ケース１の左右の側部は、下方を各々内側に切り欠いた水平な段差形状に形成されており、その段差部の下面と端子２Ａ，３Ａの下面は、同一高さ位置になっている。そして、上記段差部の下面と端子２Ａ，３Ａの下面によって、受け部１Ｂが形成されている。
【０００７】
ケース１上面の四方の角部には、上面視Ｌ字形状のコーナー突部１Ｃが上方に向けて突出形成されている。
【０００８】
６は上方凸形の円形ドーム状をした弾性金属薄板製の可動接点であり、ケース１の凹部１Ａ内に収容されている。そして、その収容状態で、可動接点６の外周下端が外側固定接点３上に当接すると共に、可動接点６の中央部下面が中央固定接点２の上面と間隔を有して対向している。これらの中央固定接点２、外側固定接点３、可動接点６によりスイッチ接点部が凹部１Ａ内に構成されている。
【０００９】
可動接点６を収容した状態で、ケース１の凹部１Ａ上を覆うように、下面に粘着剤（図示せず）が設けられた絶縁性フィルムからなる保護シート７が下面の粘着剤でケース１の上面に貼着されている。
【００１０】
８は、ケース１に対して前後方向に移動可能に組み込まれている樹脂製の操作体で、前方に突出形成された操作部８Ａと、操作部８Ａの中央後部から後方に突出形成された円柱状の駆動部８Ｂと、駆動部８Ｂをコの字状に囲む枠部８Ｄとを有している。駆動部８Ｂの先端は略球形状に形成された押圧部８Ｃとなっている。
【００１１】
操作体８は、ケース１のコーナー突部１Ｃで囲まれた領域内に枠部８Ｄが位置するようにしてケース１上に配され、コーナー突部１Ｃの内壁で上記枠部８Ｄの左右方向の側面がガイドされつつ、前後方向に移動可能になっている。その配置状態で、操作部８Ａはケース１の外周位置より前方に突出している。
【００１２】
そして、操作体８を上方より覆うように、金属板製の金属カバー９がケース１に固定されている。
【００１３】
金属カバー９は、ケース１の上方に位置する平板状の平板部９Ａの中央位置に、後方にかけて先端側が斜め下方に下がっていくように曲げ形成された傾斜部９Ｂを備えていて、平板部９Ａの前後位置に形成された４つの係止部９Ｃでケース１に係止固定されている。傾斜部９Ｂの下面は、上記操作体８の駆動部８Ｂ先端の押圧部８Ｃと当接状態になっている。
【００１４】
以上のように従来のプッシュオンスイッチは構成されており、次にその動作について説明する。
【００１５】
操作体８の操作部８Ａを前方より後方に向かって押し込むと、押圧部８Ｃが金属カバー９の傾斜部９Ｂ下面に沿って移動する。つまり、駆動部８Ｂが斜め下方に撓みつつ押圧部８Ｃが斜め下方に移動していき、保護シート７を介して押圧部８Ｃで可動接点６の中央部を押圧していく。この押圧力が一定の値を超えると、図１１に示すように、可動接点６の中央部はクリック感触を伴って弾性反転して、可動接点６の中央部下面と中央固定接点２が接触する。これにより、対応する端子２Ａと端子３Ａとの間が導通してスイッチオン状態となる。
【００１６】
次に操作体８を押し込んでいた力を解除すると、可動接点６が元の形状に弾性的に復元して押圧部８Ｃを上方に押し上げ、押圧部８Ｃが傾斜部９Ｂ下面で案内されつつ駆動部８Ｂも元の形状に戻って、操作体８が元の前方位置に押し戻されたスイッチオフ状態に戻るものであった。
【００１７】
なお、この出願の発明に関連する先行技術文献情報としては、例えば、特許文献１が知られている。
【先行技術文献】
【特許文献】
【００１８】
【特許文献１】特開２０１０−１１８３３６号公報
【発明の概要】
【発明が解決しようとする課題】
【００１９】
しかしながら、上記従来のプッシュオンスイッチにおいては、保護シート７を保護シート７下面の粘着剤でケース１上面と貼着した構成であり、ケース１上面に保護シート７を安定した保持状態にするためには、保護シート７下面の粘着剤の粘着力を強いものにしたり、ケース１上面の貼付け代を十分なものにする必要があり、製品設計時にそれらが制約になるという課題があった。
【００２０】
本発明は、このような従来の課題を解決するものであり、保護シートのケースに対する保持状態が制約少なく安定的なものとなる構成のプッシュオンスイッチを提供することを目的とする。
【課題を解決するための手段】
【００２１】
上記目的を達成するために本発明は、凹部内にスイッチ接点部を備えたケースと、上記ケースの上記凹部上を覆うように上記ケースに取り付けられた絶縁フィルム製の保護シートとを有し、上記保護シートに上記ケース側面から外方に突出する挟持用の突出部を設けたことを特徴とするプッシュオンスイッチとしたものである。
【００２２】
これであれば、保護シートの突出部を例えばケースとケースに組み付けられるカバーとで挟むという簡素な構成で制約が少なく保護シートのケースに対する保持状態が安定したものに実現できるという作用を有する。
【発明の効果】
【００２３】
本発明によれば、保護シートが安定してケースに保持されたプッシュオンスイッチを提供できるという有利な効果が得られる。
【図面の簡単な説明】
【００２４】
【図１】本発明の実施の形態によるプッシュオンスイッチの外観図
【図２】同分解斜視図
【図３】同断面図
【図４】同操作状態の断面図
【図５】同後方側の外観図
【図６】同実装する形態を説明する外観図
【図７】同実装状態を示す外観図
【図８】従来のプッシュオンスイッチの外観図
【図９】同分解斜視図
【図１０】同断面図
【図１１】同操作状態の断面図
【発明を実施するための形態】
【００２５】
以下、本発明の実施の形態について、図１〜図７を用いて説明する。なお、従来の技術の項で説明した構成と同一構成の部分には同一符号を付して、詳細な説明を簡略化する。
【００２６】
（実施の形態）
図１は本発明の実施の形態によるプッシュオンスイッチの外観図、図２は同分解斜視図、図３は同断面図、図４は同操作状態の断面図、図５は同後方側の外観図である。
【００２７】
同図に示すように、絶縁樹脂製のケース１は、従来のものと同様に、上面視略矩形状に形成されると共に、上方開口の凹部１Ａが設けられている。凹部１Ａ底面の中央には中央固定接点２が配されると共に、その中央固定接点２を中心として凹部１Ａ底面の外周側の位置には、上面視略矩形で僅かに上方に突出形成された一対の外側固定接点３が形成されている。
【００２８】
そして、ケース１の左右側面には、中央固定接点２に接続されている端子２Ａと、外側固定接点３に接続されている端子３Ａとが側方に向けてそれぞれ導出されている。なお、端子２Ａ，３Ａのケース１からの導出高さ位置は同一で、ケース１の底面位置よりも高い中間高さの側面位置から水平に導出されている。
【００２９】
さらに、ケース１は従来同様に、端子２Ａ，３Ａが導出されている左右の側部においては、端子２Ａ，３Ａの下面位置よりも上方に位置する側面が、下方に位置する側面よりも外方に突出した水平な段差形状になっており、その段差部の下面と端子２Ａ，３Ａの下面とで受け部１Ｂが形成されている。また、ケース１上面の四方の角部には、上面視Ｌ字形状のコーナー突部１Ｃが上方に向けて突出形成されている。
【００３０】
円形ドーム状の弾性金属薄板からなる可動接点６は、その外周下端が外側固定接点３上に載置されて配され、ケース１の凹部１Ａ内に収容されている。
【００３１】
そして、上述した収容状態で、ケース１の凹部１Ａ上を覆うように、下面に粘着剤（図示せず）が設けられた可撓性を有した絶縁性フィルムからなる保護シート１７がケース１上面に貼り合わせられている。
【００３２】
ここに、当該実施の形態によるものは、保護シート１７の外形寸法が従来のものと異なっており、ケース１上面に貼り付けた状態で、保護シート１７の後方端部が突出部１７Ａとして、ケース１の後方の側面から所定の寸法で外方に突出したものになっている。
【００３３】
操作体８は、操作部８Ａがケース１の前方に突出し、上記ケース１のコーナー突部１Ｃで囲まれた領域内に枠部８Ｄが位置するようにして配されている。
【００３４】
なお、この操作体８は、従来と同じもので、操作部８Ａの後方に延設された駆動部８Ｂが枠部８Ｄ内に設けられ、その駆動部８Ｂの先端が略球形状の押圧部８Ｃに形成されており、上記枠部８Ｄの左右方向の側面がコーナー突部１Ｃの内壁でガイドされつつ、ケース１に対して前後方向に移動可能に組み込まれている。
【００３５】
さらに、操作体８を上方より覆うように、金属板製の金属カバー１９がケース１に固定されている。金属カバー１９は、ケース１の上方に位置する平板状の平板部１９Ａと、平板部１９Ａの中央位置に、後方にかけて先端側が斜め下方に下がっていくように曲げ形成された傾斜部１９Ｂを備えており、金属カバー１９の平板部１９Ａの前後位置に形成された４つの係止部１９Ｃでケース１に係止固定されている。そして、傾斜部１９Ｂの下面が上記操作体８の駆動部８Ｂ先端の押圧部８Ｃと当接状態になっている。
【００３６】
そして、当該実施の形態によるものは、図５などに示すように金属カバー１９には、平板部１９Ａの後方位置から下方に曲げ加工された曲げ部１９Ｄが形成されていて、その曲げ部１９Ｄの先端が、図３から判るように、貼り付けられた保護シート１７の高さ位置よりも少し下方に位置したものになっている。そして、ケース１の後方側面から外方に向けて略水平に突出した保護シート１７の突出部１７Ａがケース１の上面外縁部と金属カバー１９の曲げ部１９Ｄの先端部で挟まれて、突出部１７Ａの根元がクランク状になるように僅かに曲げられたものになっている。そして、突出部１７Ａの先端は、略水平になっている。
【００３７】
このように、当該実施の形態のものであれば、保護シート１７は、突出部１７Ａをケース１の上面外縁部と金属カバー１９の曲げ部１９Ｄの先端部で挟み込まれて保持されたものになり、これによって保護シート１７がケース１上面から剥がれにくいものにできる。
【００３８】
なお、図３などに示すように、金属カバー１９の曲げ部１９Ｄの先端部が保護シート１７上面よりも過度に下方に位置しないものとすれば、例えばケース１に保護シート１７を貼り合わせ、操作体８を載置させた仕掛品に、金属カバー１９を組み付ける組み立て工程において、金属カバー１９の曲げ部１９Ｄの先端部で、ケース１の上面外縁部から突出した保護シート１７の突出部１７Ａを切断するおそれが防がれて望ましい。
【００３９】
上述したように、当該実施の形態によるものは従来品と同じケース１を用いている。そして、大きさを変えた保護シート１７によって突出部１７Ａを設けるようにして、この突出部１７Ａを、ケース１と金属カバー１９で挟むという簡素な構成で保護シート１７のケース１に対する保持状態を従来品よりも向上させ安定させたものとしている。言い換えると、当該構成であれば、ケース１上面の保護シート１７の貼付け代を削減することなども可能となり、設計時の制約が少なく抑えられるという付帯的な効果も得られる。
【００４０】
以上のように構成された本実施の形態によるプッシュオンスイッチの動作は従来同様である。簡単に説明すると、操作体８の操作部８Ａを後方に押し込むと、操作体８が後方に移動していくと共に、金属カバー１９の傾斜部１９Ｂ下面で駆動部８Ｂが斜め下方に案内されて、押圧部８Ｃで可動接点６の中央部が押圧される。そして、この押圧力が一定の値を超えると、可動接点６がクリック感触を伴って弾性反転し、可動接点６の中央部下面と中央固定接点２が接触して、対応する端子２Ａ，３Ａ間が導通したスイッチオン状態となる。
【００４１】
ここに、当該実施の形態のものも、可動接点６が押圧されて弾性反転すると、保護シート１７は図４に示すように下方向きに撓んだ形状に変形する。下方に撓んだ保護シート１７は、ケース１上面と貼り合わせられた位置に剪断方向にずれる力がかかるが、ケース１の側面から突出している保護シート１７の突出部１７Ａが、ケース１の上面外縁部と金属カバー１９の曲げ部１９Ｄの先端部とで挟持されていることで、保護シート１７の保持が従来のものよりも強固なものとなり、保護シート１７がケース１上面からずれにくい。これにより、保護シート１７がケース１上面から剥がれにくくできる。
【００４２】
次に、操作体８を後方に向かって押し込んでいた力を解除すると、可動接点６が元の上方凸形に弾性的に復元して押圧部８Ｃを上方に押し上げ、押圧部８Ｃが金属カバー１９の傾斜部１９Ｂ下面に沿って斜め上方に移動する。また、駆動部８Ｂも元の形状に戻りながら、操作体８は元の位置に押し戻されて、図３に示したスイッチオフ状態に戻る。
【００４３】
以上のように、当該構成のプッシュオンスイッチは、保護シート１７の突出部１７Ａを、ケース１の上面外縁部と金属カバー１９の曲げ部１９Ｄの先端部で挟み込むことで、保護シート１７を保持し、保護シート１７がケース１から剥がれにくいプッシュオンスイッチとして提供することができる。
【００４４】
なお、以上には、保護シート１７の突出部１７Ａがケース１の後方位置の一箇所のみに構成されたものを説明したが、これに限定されることは無く、例えば保護シートがケースの左右側面や前方側面からも突出したものにして、当該突出部を金属カバーとケースで挟持したものにしてもよい。また、以上には、その突出部分を、ケース１の上面外縁部と金属カバー１９の曲げ部１９Ｄの先端部とで挟持した例を説明したが、この挟持させるための箇所は必要に応じて適宜設定すればよく、さらには、ケース１や金属カバー１９以外の部材を用いて、その突出部が挟持されていてもよい。
【００４５】
なお、当該プッシュオンスイッチは、携帯端末を代表とする電子機器の配線基板に実装されて使用される。次に、その実装状態などについて説明する。
【００４６】
図６は同実装する形態を説明する外観図、図７は同実装状態を示す外観図であり、同図に示すように、配線基板２１の端部位置には、上面視で内側にコの字状に窪んだ形状の切り欠き部２１Ａが設けられている。そして、切り欠き部２１Ａの左右両側の側方位置には、当該プッシュオンスイッチの端子２Ａ，３Ａに対応する端子用ランド２２，２３がそれぞれ配設されている。なお、端子用ランド２２，２３は配線基板２１の図示しない電子回路に繋がっている。
【００４７】
当該プッシュオンスイッチは、切り欠き部２１Ａの開口側となる前方方向に操作部８Ａが位置する向きで、ケース１の受け部１Ｂが切り欠き部２１Ａ近傍の配線基板２１上面位置に載せられ、端子２Ａ，３Ａが対応する端子用ランド２２，２３にそれぞれ半田付け固定されて実装される。
【００４８】
このように、当該プッシュオンスイッチは、受け部１Ｂよりも下方となるケース１の下方部を切り欠き部２１Ａ内に位置させて実装され、配線基板２１への実装状態で高さ方向の低背化が図れるものである。
【００４９】
なお、以上には、ケース１に受け部１Ｂを設け、ケース１の下方部を配線基板２１の切り欠き部２１Ａ内に搭載されるものについて説明したが、端子の突出位置をケース下面と同じ高さ位置に突出させたものに本発明の技術的思想を適用してもよく、この場合は切り欠き部が設けられていない配線基板の上面に実装させればよい。
【００５０】
また、本発明の技術的思想を所謂縦押し操作のプッシュオンスイッチに適用してもよい。すなわち、スイッチ接点部を凹部内に備えたケース上面に、凹部上を覆うように保護シートが貼り付けられたものに対し、当該可動接点の中央位置に対応する中央孔が設けられた金属カバーを組み付け、金属カバーの中央孔を介して可動接点を押圧操作する縦押し操作のプッシュオンスイッチとしたものについても、ケースの側面から外方に突出した保護シートの突出部をケースの上面外縁部と金属カバーで挟み込んだものとしてもよい。また、挟み込むための箇所は適宜設定すればよく、さらには、ケースや金属カバー以外の部材を用いて、その突出部が挟持されたものとしてもよい。
【００５１】
また、以上にはケース１は、凹部１Ａ底面に中央固定接点２と外側固定接点３が配された絶縁樹脂製のもので説明したが、ケースに相当するものは配線基板などで構成されていてもよい。すなわち、各固定接点が配された配線基板の上面に、中央孔を有した絶縁性の板状部材を積層させて当該ケースに相当するものを構成して、板状部材の中央孔と配線基板上面で凹部を構成したものとしてもよい。
【００５２】
そして、スイッチ接点部についても、上述した構成のもののみに限定されることはない。二段動作形態のものなどであってもよい。そして、保護シート１７のケース１への装着方法についても粘着剤による貼り合わせのみには限定されない。
【産業上の利用可能性】
【００５３】
本発明によるプッシュオンスイッチは、保護シートが安定してケースに保持されたものとして提供でき、主に電子機器の入力操作部用等に有用である。
【符号の説明】
【００５４】
１  ケース
１Ａ  凹部
１Ｂ  受け部
２  中央固定接点
２Ａ，３Ａ  端子
３  外側固定接点
６  可動接点
８  操作体
８Ａ  操作部
８Ｂ  駆動部
８Ｃ  押圧部
８Ｄ  枠部
１７  保護シート
１７Ａ  突出部
１９  金属カバー
１９Ａ  平板部
１９Ｂ  傾斜部
１９Ｃ  係止部
１９Ｄ  曲げ部
２１  配線基板
２１Ａ  切り欠き部
２２，２３  端子用ランド
【図１】
2014154302.tif 000003
【図２】
2014154302.tif 000004
【図３】
2014154302.tif 000005
【図４】
2014154302.tif 000006
【図５】
2014154302.tif 000007
【図６】
2014154302.tif 000008
【図７】
2014154302.tif 000009
【図８】
2014154302.tif 000010
【図９】
2014154302.tif 000011
【図１０】
2014154302.tif 000012
【図１１】
2014154302.tif 000013